(57)【要約】      （修正有）【課題】清潔な状態を維持することができる飛沫防止扇子を提供する。【解決手段】飛沫を防止可能な飛沫防止扇子１０であって、複数の折り畳み片１１を有し折り畳み可能であると共に、少なくとも使用者の顎部から鼻部までを被覆できる幅寸法を有する扇子シート１２と、前記扇子シートを固定可能であり、端部に貫通孔１３を有する薄板状の複数の骨材１４と、前記貫通孔に挿通され、前記複数の骨材を開閉可能に固定する要材１５とを備え、前記扇子シートは、抗ウイルス性の塩化ビニルシートにより形成されていることを特徴とする飛沫防止扇子。【選択図】図１
0003233012.tif 000002
【実用新案登録請求の範囲】
【請求項１】
飛沫を防止可能な飛沫防止扇子であって、
複数の折り畳み片を有し折り畳み可能であると共に、少なくとも使用者の顎部から鼻部までを被覆できる幅寸法を有する扇子シートと、
前記扇子シートを固定可能であり、端部に貫通孔を有する薄板状の複数の骨材と、
前記貫通孔に挿通され、前記複数の骨材を開閉可能に固定する要材とを備え、
前記扇子シートは、抗ウイルス性の塩化ビニルシートにより形成されていることを特徴とする飛沫防止扇子。
【請求項２】
前記扇子シートは、２枚のシートが重ねて形成され、前記２枚のシートの間に前記骨材が挿入され、前記２枚のシートの周縁部及び前記骨材の周縁部を溶着により固定する固定部を有することを特徴とする請求項１記載の飛沫防止扇子。
【請求項３】
前記骨材は、抗ウイルス性がないポリエチレンにより形成されていることを特徴とする請求項１記載の飛沫防止扇子。
【請求項４】
前記骨材は、前記２枚のシートの間に挿入されて固定されており、前記扇子シートから取り外し可能であることを特徴とする請求項２記載の飛沫防止扇子。
【請求項５】
前記扇子シート及び前記骨材は、透明又は半透明であることを特徴とする請求項１記載の飛沫防止扇子。
【請求項６】
前記骨材は、２本の親骨材と、前記２本の親骨材の間に配置される複数本の中骨材とを有し、
前記親骨材及び前記中骨材は、前記２枚のシートの間に形成される挿入口に接触して挿入方向の移動を規制する肉厚部を有し、
前記親骨材は、前記肉厚部が、前記中骨材と対向する片面だけに形成されており、
前記中骨材は、前記肉厚部が、前記親骨材又は前記中骨材と対向する両面に形成されていることを特徴とする請求項２記載の飛沫防止扇子。
【考案の詳細な説明】
【技術分野】
【０００１】
本考案は、飛沫防止扇子に係り、特に、ウィルス感染症下の状況において、他人と会話等を行う場合の、唾液飛沫の相手への飛散を防止可能な飛沫防止扇子に関する。
【背景技術】
【０００２】
感染症罹患の状況から、人の間における会話時の唾液飛沫飛散の抑止が要請されている。例えば食事の際には、常にマスクを着用した状態でいられない場合もある。このような場合に、マスク以外で唾液飛沫飛散を抑止できるようにしたい、という要請がある。
【０００３】
このような要請に応えるために、特許文献１は、植物由来原料を用いた高機能透明プラスチック製であって、細菌が付着しにくい素材で扇面片を形成した扇子を開示している。
【０００４】
しかしながら、特許文献１の扇子は、細菌が付着しにくい素材で扇面片を形成しているものの、一旦、扇面片に細菌が付着してしまうと、清潔な状態を維持することができないという問題がある。
【先行技術文献】
【特許文献】
【０００５】
【特許文献１】実用新案登録第３２２９６４０号公報
【考案の概要】
【考案が解決しようとする課題】
【０００６】
そこで、本考案の課題は、清潔な状態を維持することができる飛沫防止扇子を提供することにある。
【課題を解決するための手段】
【０００７】
上記課題達成のため、請求項１記載の考案にあっては、飛沫を防止可能な飛沫防止扇子であって、複数の折り畳み片を有し折り畳み可能であると共に、少なくとも使用者の顎部から鼻部までを被覆できる幅寸法を有する扇子シートと、前記扇子シートを固定可能であり、端部に貫通孔を有する薄板状の複数の骨材と、前記貫通孔に挿通され、前記複数の骨材を開閉可能に固定する要材とを備え、前記扇子シートは、抗ウイルス性の塩化ビニルシートにより形成されていることを特徴とする。
従って、本考案に係る飛沫防止扇子にあっては、展開して使用することにより対面会話時の唾液の飛散や飛沫を防止することができ、使用後に折り畳んでウイルスの除去が可能になる。
【０００８】
請求項２記載の考案にあっては、前記扇子シートは、２枚のシートが重ねて形成され、前記２枚のシートの間に前記骨材が挿入され、前記２枚のシートの周縁部及び前記骨材の周縁部を溶着により固定する固定部を有することを特徴とする。
従って、本考案に係る飛沫防止扇子にあっては、２枚のシートで骨材を挟み込みながら、溶着を用いた固定部によって２枚のシート及び骨材を強固に固定することができる。
【０００９】
請求項３記載の考案にあっては、前記骨材は、抗ウイルス性がないポリエチレンにより形成されていることを特徴とする。
従って、本考案に係る飛沫防止扇子にあっては、扇子シートによって約半分程度が隠れてしまう骨材に対して抗ウイルス性の塩化ビニルシートを用いる必要がなくなる。
【００１０】
請求項４記載の考案にあっては、前記骨材は、前記２枚のシートの間に挿入されて固定されており、前記扇子シートから取り外し可能であることを特徴とする。
従って、本考案に係る飛沫防止扇子にあっては、扇子シートと骨材とを分離することができる。
【００１１】
請求項５記載の考案にあっては、前記扇子シート及び前記骨材は、透明又は半透明であることを特徴とする。
従って、本考案に係る飛沫防止扇子にあっては、扇子シートや骨材を通して、人や物を見ることができる。
【００１２】
請求項６記載の考案にあっては、前記骨材は、２本の親骨材と、前記２本の親骨材の間に配置される複数本の中骨材とを有し、前記親骨材及び前記中骨材は、前記２枚のシートの間に形成される挿入口に接触して挿入方向の移動を規制する肉厚部を有し、前記親骨材は、前記肉厚部が、前記中骨材と対向する片面だけに形成されており、前記中骨材は、前記肉厚部が、前記親骨材又は前記中骨材と対向する両面に形成されていることを特徴とする。
従って、本考案に係る飛沫防止扇子にあっては、肉厚部により骨材の挿入位置が自然と定まり、適切な位置に骨材を配置することができる。
【考案の効果】
【００１３】
請求項１記載の考案にあっては、飛沫を防止可能な飛沫防止扇子であって、複数の折り畳み片を有し折り畳み可能であると共に、少なくとも使用者の顎部から鼻部までを被覆できる幅寸法を有する扇子シートと、前記扇子シートを固定可能であり、端部に貫通孔を有する薄板状の複数の骨材と、前記貫通孔に挿通され、前記複数の骨材を開閉可能に固定する要材とを備え、前記扇子シートは、抗ウイルス性の塩化ビニルシートにより形成されていることから、展開して使用することにより対面会話時の唾液の飛散や飛沫を防止することができ、使用後に折り畳んでウイルスの除去が可能になると共に、扇子シートが抗ウイルス性の塩化ビニルシートであることから、折り畳み状態で各折り畳み片が重ねられ、各折り畳み片でウイルスを挟み込んでウイルスそのものを早期に不活させることができ、結果として、清潔な状態を維持することができる。
【００１４】
請求項２記載の考案にあっては、前記扇子シートは、２枚のシートが重ねて形成され、前記２枚のシートの間に前記骨材が挿入され、前記２枚のシートの周縁部及び前記骨材の周縁部を溶着により固定する固定部を有することから、２枚のシートで骨材を挟み込みながら、溶着を用いた固定部によって２枚のシート及び骨材を強固に固定することができるため、２枚のシートにおいて固定部が邪魔になり難く、扇子シートの略全面を利用して抗ウイルス性を発揮することができる。
【００１５】
請求項３記載の考案にあっては、前記骨材は、抗ウイルス性がないポリエチレンにより形成されていることから、扇子シートによって約半分程度が隠れてしまう骨材に対して抗ウイルス性の塩化ビニルシートを用いる必要がなくなるため、抗ウイルス性の塩化ビニルシートを用いる部分を扇子シートに限定して製造コストを抑えつつ、所望の形状としやすいポリエチレンによって骨材を形成することができる。
【００１６】
請求項４記載の考案にあっては、前記骨材は、前記２枚のシートの間に挿入されて固定されており、前記扇子シートから取り外し可能であることから、扇子シートと骨材とを分離することができるため、扇子シートが汚れてしまった場合には、扇子シートを外して洗ったり、扇子シートを新しいものに交換したりすることができる。
【００１７】
請求項５記載の考案にあっては、前記扇子シート及び前記骨材は、透明又は半透明であることから、扇子シートや骨材を通して、人や物を見ることができるため、扇子シート及び骨材が対面会話時の妨げになることを低減させることができる。
【００１８】
請求項６記載の考案にあっては、前記骨材は、２本の親骨材と、前記２本の親骨材の間に配置される複数本の中骨材とを有し、前記親骨材及び前記中骨材は、前記２枚のシートの間に形成される挿入口に接触して挿入方向の移動を規制する肉厚部を有し、前記親骨材は、前記肉厚部が、前記中骨材と対向する片面だけに形成されており、前記中骨材は、前記肉厚部が、前記親骨材又は前記中骨材と対向する両面に形成されていることから、肉厚部により骨材の挿入位置が自然と定まり、適切な位置に骨材を配置することができ、親骨材は片面だけしか肉厚部が形成されていないので、骨材全体が厚くなりすぎることがなく、飛沫防止扇子を閉じている際には肉厚部が使用者の手に触れることがなくなり、使用感を向上させることができる。
【図面の簡単な説明】
【００１９】
【図１】本考案に係る飛沫防止扇子の一実施の形態における開いた状態を示す平面図である。
【図２】本考案に係る飛沫防止扇子の一実施の形態における閉じた状態を示す平面図である。
【図３】本考案に係る飛沫防止扇子の一実施の形態における扇子シートを単独で示す平面図である。
【図４】本考案に係る飛沫防止扇子の一実施の形態における骨材等を単独で示す平面図である。
【図５】本考案に係る飛沫防止扇子の一実施の形態における骨材等を単独で示す側面図である。
【図６】本考案に係る飛沫防止扇子の一実施の形態における扇子シートを示す正面図である。
【考案を実施するための形態】
【００２０】
以下、本考案に係る一実施の形態について、図面を参照しながら説明する。なお、各図面においては、理解を容易にするために、部材の形状や寸法を誇張して図示したり一部の部材を省略したりして図示している箇所もある。
図１及び図２に示すように、本実施の形態に係る飛沫防止扇子１０は、使用者の口からの唾液飛沫の飛散を防止可能な飛沫防止扇子１０であって、９個の折り畳み片１１を有し折り畳み可能であると共に、少なくとも使用者の顎部から鼻部までを被覆できる幅寸法Ｌ（図２参照）を有する扇子シート１２と、扇子シート１２を固定可能であり、端部に貫通孔１３を有する薄板状の複数の骨材１４と、貫通孔１３に挿通され、複数の骨材１４を開閉可能に固定する要材１５とを備え、扇子シート１２は、抗ウイルス性の塩化ビニルシートにより形成されている。
抗ウイルス性の塩化ビニルシートには、株式会社三洋の「ウイルスガードＬＰ（商標）」を用いることができる。幅寸法Ｌは、１０〜３０ｃｍ程度であることが好ましい。
【００２１】
従って、本実施の形態に係る飛沫防止扇子１０にあっては、展開して使用することにより対面会話時の唾液の飛散や飛沫を防止することができ、使用後に折り畳んでウイルスの除去が可能になる。
【００２２】
図１に示すように、扇子シート１２は、２枚のシート１６、１７が重ねて形成され、２枚のシート１６、１７の間に骨材１４が挿入され、２枚のシート１６、１７の周縁部及び骨材１４の周縁部を溶着により固定する固定部１８を有する。固定部１８は、高周波ウェルダー加工により固定している。
【００２３】
より詳細に、固定部１８は、扇子シート１２の上端部、左端部及び右端部に形成されている。また、固定部１８は、扇子シート１２の下端部における骨材１４が配置される場所を除いた部分、及び、扇子シート１２の折り畳み片１１における骨材１４が配置される場所の周囲にも形成されている。
【００２４】
従って、本実施の形態に係る飛沫防止扇子１０にあっては、２枚のシート１６、１７で骨材１４を挟み込みながら、溶着を用いた固定部１８によって２枚のシート１６、１７及び骨材１４を強固に固定することができる。
【００２５】
骨材１４は、抗ウイルス性がないポリエチレン（ＰＥ）により形成されている。従って、本実施の形態に係る飛沫防止扇子１０にあっては、扇子シート１２によって約半分程度が隠れてしまう骨材１４に対して抗ウイルス性の塩化ビニルシートを用いる必要がなくなる。
【００２６】
扇子シート１２及び骨材１４は、透明又は半透明である。従って、本実施の形態に係る飛沫防止扇子１０にあっては、扇子シート１２や骨材１４を通して、人や物を見ることができる。
【００２７】
図１及び図２に示すように、骨材１４は、使用時には２枚のシート１６、１７の間に挿入されて固定されているが、使用後は、図３及び図４に示すように、骨材１４を扇子シート１２から取り外し可能に形成されている。従って、本実施の形態に係る飛沫防止扇子１０にあっては、扇子シート１２と骨材１４とを分離することができる。
【００２８】
図５に示すように、骨材１４は、上側と下側とに配置される２本の親骨材１９と、２本の親骨材１９の間に配置される３本の中骨材２０とを有する。図６に示すように、２枚のシート１６、１７の間には、５個の挿入口２１が形成されており、５個の挿入口２１には、５本の骨材１４（親骨材１９及び中骨材２０）が挿入される。
【００２９】
図５に示すように、親骨材１９及び中骨材２０は、２枚のシート１６、１７の間に形成される挿入口２１（図６参照）に接触して挿入方向の移動を規制する肉厚部２２を有する。
親骨材１９は、肉厚部２２が、中骨材２０と対向する片面Ｘだけに形成されている。中骨材２０は、肉厚部２２が、親骨材１９又は中骨材２０と対向する両面Ｙ、Ｚに形成されている。
従って、本実施の形態に係る飛沫防止扇子１０にあっては、肉厚部２２により骨材の挿入位置が自然と定まり、適切な位置に骨材１４を配置することができる。
【００３０】
以上説明したように、本実施の形態に係る飛沫防止扇子１０にあっては、展開した状態で、会話時には扇子シート１２を口元へ添えた場合には、扇子シート１２は、使用者の顎部から鼻部までを被覆できる幅寸法Ｌを有することから、口から発する唾液の飛散を有効に遮蔽することができ、対面会話時の唾液の飛散や飛沫を防止することができる。
また、扇子シート１２が抗ウイルス性の塩化ビニルシートであることから、使用後には折り畳み状態にすることにより、各折り畳み片１１が重ねられ、各折り畳み片１１でウイルスを挟み込んでウイルスそのものを早期に不活させることができ、結果として、扇子シート１２そのものも清潔な状態を維持することができる。
【００３１】
本実施の形態に係る飛沫防止扇子１０にあっては、携帯性が良好である。本実施の形態に係る飛沫防止扇子１０があれば、現在、レストラン等で設置されているような透明衝立が無くても、対面会話時の唾液飛沫の飛散を防げる。本実施の形態に係る飛沫防止扇子１０は、使用後に洗浄もでき、より確実にウイルスを除去でき、繰り返し使用が可能である。
【００３２】
また、本実施の形態に係る飛沫防止扇子１０にあっては、２枚のシート１６、１７で骨材１４を挟み込みながら、溶着を用いた固定部１８によって２枚のシート１６、１７及び骨材１４を強固に固定することができるため、２枚のシート１６、１７において固定部１８が邪魔になり難く、扇子シート１２の略全面を利用して抗ウイルス性を発揮することができる。
【００３３】
さらに、本実施の形態に係る飛沫防止扇子１０にあっては、扇子シート１２によって約半分程度が隠れてしまう骨材１４に対して抗ウイルス性の塩化ビニルシートを用いる必要がなくなるため、抗ウイルス性の塩化ビニルシートを用いる部分を扇子シート１２に限定して製造コストを抑えつつ、所望の形状としやすいポリエチレンによって骨材１４を形成することができる。
【００３４】
さらにまた、本実施の形態に係る飛沫防止扇子１０にあっては、扇子シート１２と骨材１４とを分離することができるため、扇子シート１２が汚れてしまった場合には、扇子シート１２を外して洗ったり、扇子シート１２を新しいものに交換したりすることができる。
【００３５】
その上、本実施の形態に係る飛沫防止扇子１０にあっては、扇子シート１２や骨材１４を通して、人や物を見ることができるため、扇子シート１２及び骨材１４が対面会話時の妨げになることを低減させることができる。
【００３６】
また、本実施の形態に係る飛沫防止扇子１０にあっては、肉厚部２２により骨材１４の挿入位置が自然と定まり、適切な位置に骨材を配置することができ、親骨材１９は片面Ｘだけしか肉厚部２２が形成されていないので、骨材１４全体が厚くなりすぎることがなく、飛沫防止扇子１０を閉じている際には肉厚部２２が使用者の手に触れることがなくなり、使用感を向上させることができる。
【００３７】
上述した実施の形態にあっては、以下の変形が可能である。
（１）本実施の形態に係る飛沫防止扇子１０は、ケース（抗ウイルス性のシートにより形成されたケース等）を付属させ、そのケースに収納するようにしてもよい。
（２）折り畳み片１１は、９個の例で説明したが、８個以下であってもよく、１０個以上であってもよい。
（３）中骨材２０は、３本の例で説明したが、２本以下であってもよく、４本以上であってもよい。
【００３８】
（４）骨材１４は、抗ウイルス性を有する素材により形成してもよい。
（５）骨材１４は、扇子シート１２から取り外し不能なものであってもよい。
（６）扇子シート１２及び骨材１４は、少なくとも一方が不透明であってもよい。
（７）扇子シート１２については、抗ウイルス剤を配合した塩ビシート以外の熱可塑性合成樹脂を使用してもよい。
【産業上の利用可能性】
【００３９】
本考案は飛沫防止扇子に係ることから、広く産業上の利用可能性を有している。
【符号の説明】
【００４０】
１０  飛沫防止扇子
１１  折り畳み片
１２  扇子シート
１３  貫通孔
１４  親骨材
１５  要材
１６、１７  ２枚のシート
１８  固定部
１９  親骨材
２０  中骨材
２１  挿入口
２２  肉厚部
Ｌ  幅寸法
Ｘ  片面
Ｙ、Ｚ  両面
【図１】
0003233012.tif 000003
【図２】
0003233012.tif 000004
【図３】
0003233012.tif 000005
【図４】
0003233012.tif 000006
【図５】
0003233012.tif 000007
【図６】
0003233012.tif 000008
【手続補正書】
【提出日】令和3年5月14日(2021.5.14)
【手続補正１】
【補正対象書類名】実用新案登録請求の範囲
【補正対象項目名】請求項４
【補正方法】変更
【補正の内容】
【請求項４】
前記扇子シートは２枚のシートが重ねて形成され、前記２枚のシートの間に前記骨材が挿入されて固定されており、前記扇子シートから取り外し可能であることを特徴とする請求項１記載の飛沫防止扇子。
【手続補正２】
【補正対象書類名】明細書
【補正対象項目名】００１０
【補正方法】変更
【補正の内容】
【００１０】
請求項４記載の考案にあっては、前記扇子シートは２枚のシートが重ねて形成され、前記２枚のシートの間に前記骨材が挿入されて固定されており、前記扇子シートから取り外し可能であることを特徴とする。
従って、本考案に係る飛沫防止扇子にあっては、扇子シートと骨材とを分離することができる。